(57)【要約】【課題】ノックの動きに連動させて、キャラクタを変形させたり、姿勢変化させたりして、意外性や面白みに富んだサイドノック式の筆記具を提供する。【解決手段】ボディ１０の基端部に取り付けられた弾性変形可能なキャラクタ１３と、キャラクタ１３を軸芯方向に貫通するとともにキャラクタ１３の上方に突出された上端部に押圧部１４ａを有し、下端部がボディ１０に挿入された押圧部材１４と、ノック１１と押圧部材１４との間に設けられ、ノック１１の押し下げ動作により押圧部材１４を押し下げて押圧部１４ａによりキャラクタ１３を押し潰し、ノック１１の復帰動作により押圧部材を復帰させる連動機構と、を備える。連動機構は、押圧部材１４の下端に設けた係止部１４ｄとジョイントの上端に設けた係合部とによって構成する。【選択図】図１
2011025635.tif 000002
【特許請求の範囲】
【請求項１】
軸芯に沿って先端部から基端部に延びる筒状の筆記具本体の側面に突設された操作レバーの、人手による先端部側への押し下げ動作および付勢部材による基端部側への復帰動作によって、前記筆記具本体の先端部から芯を突出させ、前記操作レバーの次の押し下げ動作および復帰動作によって前記筆記具本体の前記先端部から前記芯を引っ込めるサイドノック式の筆記具において、
前記筆記具本体の前記基端部に取り付けられた弾性変形可能なキャラクタと、
前記キャラクタを軸芯方向に貫通するとともに前記キャラクタの上方に突出された上端部に押圧部を有し、下端部が前記筆記具本体に挿入された押圧部材と、
前記操作レバーと前記押圧部材との間に設けられ、前記操作レバーの前記押し下げ動作により前記押圧部材を押し下げて前記押圧部により前記キャラクタを押し潰し、前記操作レバーの前記復帰動作により前記押圧部材を復帰させる連動機構と、を備える、
ことを特徴とするサイドノック式の筆記具。
【請求項２】
前記連動機構は、前記押圧部材の下端部に設けられた係止部と、前記操作レバー側に設けられて前記操作レバーの前記押し下げ動作により前記押圧部材の前記係止部に係合して前記押圧部材を押し下げる係合部とによって構成されている、
ことを特徴とする請求項１に記載のサイドノック式の筆記具。
【請求項３】
前記筆記本体の基端部に、前記キャラクタが載せられるとともに前記押圧部材が軸芯方向に貫通する台座を有する、
ことを特徴とする請求項１又は２に記載のサイドノック式の筆記具。
【請求項４】
前記押圧部材の前記押圧部が前記キャラクタの一部を兼ねる、
ことを特徴とする請求項１ないし３のいずれか１項に記載のサイドノック式の筆記具。
【請求項５】
前記キャラクタは、前記押圧部の押圧によって軸芯方向に潰される、
ことを特徴とする請求項１ないし４のいずれか１項に記載のサイドノック式の筆記具。
【請求項６】
前記キャラクタは、前記押圧部の押圧によって一方の端部を基準として他方の端部が揺動する、
ことを特徴とする請求項１ないし４のいずれか１項に記載のサイドノック式の筆記具。
【請求項７】
前記キャラクタが軟質の合成樹脂で形成され、前記押圧部材が硬質の合成樹脂で形成されている、
ことを特徴とする請求項１ないし６のいずれか１項に記載のサイドノック式の筆記具。
【発明の詳細な説明】
【技術分野】
【０００１】
本発明は、ノック（操作レバー）のノック動作に対応して、芯の出し入りを行うサイドノック式の筆記具に関する。
【背景技術】
【０００２】
サイドノック式の筆記具において、ノック（操作レバー）を押し下げて芯を出す押し下げ動作に連動して、キャラクタを模した形象物が回転するように構成した筆記具が知られている（例えば、特許文献１参照）。
【０００３】
このものは、筆記具本体の内部に長尺の回転軸が配置されていて、この回転軸における筆記具本体の基端部から突出する部分にキャラクタが取り付けられている。操作レバーには、内周面に螺旋溝が形成されたスライド部材が係合されていて、この螺旋溝には、回転軸から突出された凸部が螺合している。操作レバーを押し下げると、芯が出るとともに、スライド部材が押し下げられ、その螺旋溝に凸部が螺合されている回転軸が回転する。この回転軸の回転に伴って、キャラクタが回転するようになっている。
【先行技術文献】
【特許文献】
【０００４】
【特許文献１】特開２００３−１９３６７号公報
【発明の概要】
【発明が解決しようとする課題】
【０００５】
しかしながら、特許文献１によると、操作レバーの押し下げ動作に連動して、キャラクタが回転するものの、キャラクタ自体の形状が変化したり、姿勢が変化したりするものではないので、意外性や面白みに欠けるという問題があった。
【０００６】
そこで、本発明は、ノック（操作レバー）の動きに連動して、キャラクタを変形させたり、姿勢変化させたりすることで、意外性や面白みを発揮させることができるサイドノック式の筆記具を提供することを目的とするものである。
【課題を解決するための手段】
【０００７】
請求項１に係る発明は、軸芯に沿って先端部から基端部に延びる筒状の筆記具本体の側面に突設された操作レバーの、人手による先端部側への押し下げ動作および付勢部材による基端部側への復帰動作によって、前記筆記具本体の先端部から芯を突出させ、前記操作レバーの次の押し下げ動作および復帰動作によって前記筆記具本体の前記先端部から前記芯を引っ込めるサイドノック式の筆記具に関する。
【０００８】
この発明に係るノック式の筆記具は、前記筆記具本体の前記基端部に取り付けられた弾性変形可能なキャラクタと、前記キャラクタを軸芯方向に貫通するとともに前記キャラクタの上方に突出された上端部に押圧部を有し、下端部が前記筆記具本体に挿入された押圧部材と、前記操作レバーと前記押圧部材との間に設けられ、前記操作レバーの前記押し下げ動作により前記押圧部材を押し下げて前記押圧部により前記キャラクタを押し潰し、前記操作レバーの前記復帰動作により前記押圧部材を復帰させる連動機構と、を備える、ことを特徴とする。
【０００９】
請求項２に係る発明は、請求項１に係るノック式の筆記具において、前記連動機構は、前記押圧部材の下端部に設けられた係止部と、前記操作レバー側に設けられて前記操作レバーの前記押し下げ動作により前記押圧部材の前記係止部に係合して前記押圧部材を押し下げる係合部とによって構成されている、ことを特徴とする。
【００１０】
請求項３に係る発明は、請求項１又は２に記載のサイドノック式の筆記具において、前記筆記本体の基端部に、前記キャラクタが載せられるとともに前記押圧部材が軸芯方向に貫通する台座を有する、ことを特徴とする。
【００１１】
請求項４に係る発明は、請求項１ないし３のいずれか１項に係るサイドノック式の筆記具において、前記押圧部材の前記押圧部が前記キャラクタの一部を兼ねる、ことを特徴とする。
【００１２】
請求項５に係る発明は、請求項１ないし４のいずれか１項に係るサイドノック式の筆記具において、前記キャラクタは、前記押圧部の押圧によって軸芯方向に潰される、ことを特徴とする。
【００１３】
請求項６に係る発明は、請求項１ないし４のいずれか１項に係るサイドノック式の筆記具において、前記キャラクタは、前記押圧部の押圧によって一方の端部を基準として他方の端部が揺動する、ことを特徴とする。
【００１４】
請求項７に係る発明は、請求項１ないし６のいずれか１項に記載のサイドノック式の筆記具において、前記キャラクタが軟質の合成樹脂で形成され、前記押圧部材が硬質の合成樹脂で形成されている、ことを特徴とする。
【発明の効果】
【００１５】
請求項１に係る発明によれば、操作レバーを押し下げると、連動機構を介して、押圧部材が押し下げられ、これに伴い、押圧部材の押圧部が弾性変形可能なキャラクタを押し潰す。つまり、操作レバーに動きに連動して、キャラクタが変形したり、姿勢え変化したりするので、意外性や面白みを増すことができる。
【００１６】
請求項２の発明によれば、連結機構が、押圧部材の下部に設けられた係止部と、これに係合する操作レバー側の係合部とによって構成されているので、操作レバーの動きがそのまま押圧部材に伝達される。すなわち、操作レバーのストロークがそのまま押圧部材のストロークとなるので、ストロークを大きくとってキャラクタを大きく変形または姿勢変化させることができる。
【００１７】
請求項３の発明によれば、筆記具本体の基端部に台座を設けることにより、キャラクタが載せられる面積を大きく確保して、キャラクタを安定して支持するとともに、キャラクタの変形や姿勢変化を確実に行うことができる。
【００１８】
請求項４の発明によれば、押圧部材がキャラクタの一部を兼ねるので、デザインの一貫性を保つとともに、面白みを増すことができる。
【００１９】
請求項５の発明によれば、押圧部の押し下げによってキャラクタは、軸芯方向に潰されて変形する。
【００２０】
請求項６の発明によれば、押圧部の押し下げによってキャラクタは、一方の端部を基準として他方の端部が揺動して変形する。
【００２１】
請求項７の発明によれば、キャラクタが軟質の合成樹脂によって、また、押圧部材が硬質の合成樹脂によって形成されているので、キャラクタは、弾性変形が容易であり、押圧部材は、押圧部によってキャラクタを変形させたり姿勢変化させたりするのに好適である。
【図面の簡単な説明】
【００２２】
【図１】筆記具１を正面側右斜め上方から見た斜視図であり、（ａ）はノック１１がホームポジションＰ１にあってキャラクタ１３が変形していない状態を示し、（ｂ）はノック１１が押下位置Ｐ２に押し下げられてキャラクタ１３が変形された状態を示し、（ｃ）は分解斜視図を示している。
【図２】（ａ）はノック１１がホームポジションＰ１にあって、芯１６が引っ込んでいる状態の筆記具１の正面図であり、（ｂ）は（ａ）中のＢ−Ｂ線矢視図である。
【図３】（ａ）はノック１１が押下位置Ｐ２に押し下げられて、芯１６が出された状態の筆記具１の正面図であり、（ｂ）は（ａ）中のＢ−Ｂ線矢視図である。
【図４】（ａ）はノック１１がホームポジションＰ１にあって、芯１６が出された状態の筆記具１の正面図であり、（ｂ）は（ａ）中のＢ−Ｂ線矢視図である。
【図５】筆記具２を正面側右斜め上方から見た斜視図であり、（ａ）はノック１１がホームポジションＰ１にあってキャラクタ２３が変形していない状態を示し、（ｂ）はノック１１が押下位置Ｐ２に押し下げられてキャラクタ２３が変形された状態を示し、（ｃ）は分解斜視図を示している。
【図６】筆記具３を正面側右斜め上方から見た斜視図であり、（ａ）はノック１１がホームポジションＰ１にあってキャラクタ３３が変形していない状態を示し、（ｂ）はノック１１が押下位置Ｐ２に押し下げられてキャラクタ３３が変形された状態を示し、（ｃ）は分解斜視図を示している。
【発明を実施するための形態】
【００２３】
以下、本発明の実施形態を図面に基づき詳述する。なお、各図面において、同じ符号を付した部材等は、同じ構成のものであり、これらについての重複説明は適宜省略するものとする。また、各図面においては、説明に不要な部材等は適宜、図示を省略している。
＜実施形態１＞
【００２４】
図１〜図４を参照して、本発明の実施形態１に係るサイドノック式の筆記具（以下単に「筆記具」という。）１について説明する。なお、以下の説明では、ノック（操作レバー）１１がある側を筆記具１の正面とする。
【００２５】
図１〜図４のうち、図１は、筆記具１を正面側右斜め上方から見た斜視図であり、（ａ）はノック１１がホームポジションＰ１にあってキャラクタ１３が変形していない状態を示し、（ｂ）はノック１１が押下位置Ｐ２に押し下げられてキャラクタ１３が変形された状態を示し、（ｃ）は分解斜視図を示している。また、図２（ａ）はノック１１がホームポジションＰ１にあって、芯１６が引っ込んでいる状態を示す筆記具１の正面図であり、（ｂ）は（ａ）中のＢ−Ｂ線矢視図である。また、図３（ａ）はノック１１が押下位置Ｐ２に押し下げられて、芯１６が出された状態を示す筆記具１の正面図であり、（ｂ）は（ａ）中のＢ−Ｂ線矢視図である。また、図４（ａ）はノック１１がホームポジションＰ１にあって、芯１６が出された状態を示す筆記具１の正面図であり、（ｂ）は（ａ）中のＢ−Ｂ線矢視図である。ここで、図２は、筆記具１の不使用状態、図３は、芯１６を出す際の過渡状態、図４は、筆記具１の使用状態をそれぞれ図示している。なお、図２〜図４では、台座１２及びキャラクタ１３を取り外した状態を示している。
【００２６】
図１に示すように、筆記具１は、ボディ（筆記具本体）１０と、ノック（操作レバー）１１と、台座１２と、キャラクタ１３と、押圧部材１４とを備えている。なお、キャラクタ１３とは、人、人形、動植物、玩具、乗り物等を模した形象物をいい、任意の物が形象物となり得る。
【００２７】
ここで、本実施形態に係る筆記具１の芯出し機構、すなわち、芯１６を出し入れするための機構は、周知の構成及び方法を採用しているので、図２〜図４を参照して簡単に説明する。
【００２８】
ボディ１０は、図２（ｂ）に示すように、軸芯Ｓに沿って先端部（下端部）から基端部（上端部）に延びる筒状に形成されている。なお、ボディ１０は、内周面１０ａは円筒状であることが好ましいが、外周面１０ｂについては、円筒状以外に、正六角形、正八角形等であってもよい。ボディ１０の上端側の側面には、ノック１１の上下方向（軸芯方向）の移動、すなわち下方への押し下げ動作及び上方への復帰動作をガイドするガイド溝１０ｃが上下方向に向けて形成されている。また、ボディ１０の内周面１０ａにおける、ノック１１の下端に対応する高さ近傍には、上下方向に向いたスルーリブ（不図示）とストップリブ（不図示）とが周方向に交互に形成されている。ボディ１０の下端には、テーパ状のキャップ１５が取り付けられている。キャップ１５には、上下方向に透孔１５ａが穿設されていて、この透孔１５ａからは、芯（リフィール）１６の先端１６ａが出し入れされる。芯１６は、芯押し上げばね１７によって上方に付勢されている。
【００２９】
芯１６の上端には回転カム１８が回転可能に被せられており、この回転カム１８には、さらに、回転不能で上下方向に移動可能なスライドカム１９が被せられている。スライドカム１９と回転カム１８とは、相互に傾斜面（不図示）で接触していて、スライドカム１９が下降すると、この傾斜面によって回転カム１８には軸芯Ｓを基準として回転力が作用するが、回転カム１８の被ガイド部（不図示）が上述のスルーリブによって上下方向の移動がガイドされている間は、回転カム１８は回転しない。そして、スライドカム１９がさらに下降すると、回転カム１８は、その被ガイド部がスルーリブから外れて回転しながら、ストップリブに移動するようになっている。これにより、後述のように、芯１６の先端１６ａがキャップ１５から突出される。
【００３０】
スライドカム１９は、ノック１１と一体のジョイント（連動機構）２０によって押し下げられる。ジョイント２０は、下端部が上述のストップリブの上端に係合されたノック押し上げばね２１によって上方に付勢されている。
【００３１】
図２に示すホームポジションＰ１に配置されたノック１１が、使用者の指（人手）によって押し下げられると、ノック１１と一体のジョイント２０がノック押し上げばね２１の付勢力に抗して下降し、スライドカム１９を押し下げる。押し下げられたスライドカム１９は、芯押し上げばね１７の付勢力に抗して、回転カム１８を、これに潜在的な回転力を付与しながら押し下げる。そして、回転カム１８は、スルーリブから外れると、回転しながらストップリブに移動する。
【００３２】
図３は、ノック１１が押下位置（Ｐ２）に押し下げられて、回転カム１８がストップリブに移動して、芯１６の先端１６ａがキャップ１５の透孔１５ａから突出された状態を示している。
【００３３】
図３に示す状態から、使用者がノック１１から指を離すと、回転カム１８は、芯押し上げばね１７によって押し上げられ、若干上方に戻りながら回転して、ストップリブに収まる。これにより、芯１６は、その先端１６ａをキャップ１５の透孔１５ａから突出させた状態で保持される。一方、ノック１１は、ノック押し上げばね２１によって上方に付勢されてホームポジションＰ１に戻る。この状態が図４に示す状態であり、筆記可能な状態である。
【００３４】
筆記が終了して、次にもう一度、ノック１１を押し下げると、回転カム１８は、ジョイント２０を介してスライドカム１９によって押し下げられ、ストップリブから外されて回転し、次のスルーリブに移動する。これにより、芯１６が引っ込められるとともに、ノック１１がホームポジションＰ１に復帰する。
【００３５】
次に、本実施形態の特徴部分について詳述する。
【００３６】
図２（ｂ）に示すように、ジョイント２０は、下半部に大径円筒状の大径部２０ａを有し、上半部に小径円筒状の小径部２０ｂを有していて、両者の間には壁部２０ｃが形成されている。ノック１１は、その裏面側（ボディ１０側）の上部の一部が、大径部２０ａに係合されている。また、小径部２０ｂの上端には、内側に突出する係合部２０ｄが略全周にわたって設けてある。さらに、小径部２０ｂには、上下方向のスリット（不図示）が形成されていて、小径部２０ｂがボディ１０の上端の開口部１０ｄから上方に突出されている状態（例えば、組立時）においては、係合部２０ｄを開いて、これに、後述する押圧部材１４の係止部１４ｄを挿入することができるようになっている。ジョイント２０は、ノック１１と一体に構成されていて、ノック１１のホームポジションＰ１から押下位置Ｐ２への押し下げ動作及び押下位置ＰからホームポジションＰ２への復帰動作に伴って、ボディ１０の上端近傍を下降したり上昇したりするようになっている。
【００３７】
ボディ１０の上端には開口部１０ｄが設けられており、図１（ｃ）に示すように、この開口部１０ｄには、台座１２が嵌合されている。台座１２は、開口部１０ｄに嵌合される嵌合部１２ａと、この嵌合部１２ａよりも大径で面積が大きい略円板状の支持部１２ｂとを有している。嵌合部１２ａは円筒状に形成されていて、その外周面がボディ１０の上部における内周面１０ａに嵌合されるとともに、その内周面と上述のジョイント２０の小径部２０ｂの外周面との間に適宜な間隙を設けて、嵌合部１２ａの内側を、ジョイント２０の小径部２０ｂが移動できるようになっている。支持部１２ｂは、その上面に載せられたキャラクタ１３を確実に支持する。支持部１２ｂの略中央には、上下方向に貫通されて押圧部材１４が通る透孔１２ｃが形成されている。また、支持部１２ｂの前側には、ノック１１の操作がしやすいように、切欠部１２ｄが設けてある。台座１２は、例えば、硬質の合成樹脂によって全体が一体に構成されている。
【００３８】
キャラクタ１３は、図示例では、軟質の合成樹脂で形成された弾性変形可能な親ガエルであり、胴体１３ａには、頭部１３ｂに目玉１３ｃが突出されており、また前脚１３ｄ、後脚１３ｅが設けてあり、胴体１３ａには、略中央に、上下方向に貫通された透孔１３ｆが穿設されている。親ガエルは、全体が一体に形成されていて、後脚１３ｅが台座１２の支持部１２ｂにおける一方の端部（切欠部１２ｄとは反対側の端部）に固定（接着）されている。これに対し、前脚１３ｄは後脚１３ｅよりも長く形成されていて、頭部１３ｂ近傍から下方に延びて、先端部が支持部１２ｂにおける他方の端部、つまり切欠部１２ｄ近傍に固定されており、中間部がフリーとなっている。すなわち、親ガエルは、後述するように、胴体１３ａが押圧部材１４の押圧部１４ａによって略中央を下方に押圧された際に、後脚１３ｅ側を基準として頭部１３ｂ側がお辞儀をするように下方に揺動して、前脚１３ｄを屈曲させるようになっている。
【００３９】
押圧部材１４は、その全体が、例えば、硬質の合成樹脂によって略棒状に形成されている。押圧部材１４は、キャラクタ１３の上方に突出される上部に、キャラクタ１３の透孔１３ｆよりも大きい押圧部１４ａを有している。図示例では、押圧部１４ａには、キャラクタ１３の一部を構成する、子ガエルの形状が与えられている。この子ガエルは、親ガエルの背中におぶさるようにして接着されていて、親ガエルが変形する際に親ガエルの背中から離れないようになっている。押圧部材１４における押圧部１４ａの下には、キャラクタ１３の透孔１３ｆ及び台座１２の透孔１２ｃを貫通する貫通部１４ｂ、さらにその下に貫通部１４ｂよりも小径な小径部１４ｃ、さらにその下には小径部１４ｃよりも大径の係止部１４ｄが形成されている。
【００４０】
図２（ｂ）に示すように、押圧部材１４は、小径部１４ｃが、ジョイント２０の係合部２０ｄの内側を上下に移動でき、かつ係止部１４ｄが係合部２０ｄに引っかかるように形成されている。さらに、図示例では、ジョイント２０側の係合部２０ｄと押圧部材１４側の係止部１４ｄとの間に、空振り区間Ｄが形成されている。この空振り区間Ｄの長さを調整することにより、ノック１１のホームポジションＰ１から押下位置Ｐ２までのストローク量に対して、押圧部材１４のストローク量を調整することができる。すなわち、この空振り区間Ｄが０になるように構成すれば、押圧部材１４のストローク量をノック１１のストローク量と同じにすることができ、また、この空振り区間Ｄを大きくとることにより、押圧部材１４のストローク量を小さくすることができる。ここで、押圧部材１４のストローク量は、キャラクタ１３の大きさや、所望の変形や姿勢変化に応じて適宜に設定すればよい。なお、空振り区間Ｄを０でない数値に設定した場合には、ノック１１は、その押し下げ動作時に、この空振り区間Ｄに相当するストローク量だけ押し下げられた後、はじめて押圧部材１４の押し下げを開始して、押圧部１４ａによるキャラクタ１３の変形を開始することが可能となる。つまり、押圧部１４ａがキャラクタ１３を変形させるまでに空振り区間Ｄをノック１１が移動する時間に相当する時間遅れが発生するので、使用者に意外性を感じさせることができる。使用者は、ノック１１の押し下げ動作の開始とともに、キャラクタ１３の変形が開始されると思っているところ、キャラクタ１３の変形までに時間遅れが発生するので、使用者にとっては、キャラクタ１３が予期しなかった動作をするものと認識する。
【００４１】
以上構成の筆記具１は、以下のように動作する。なお、芯１６の出し入れの動作については適宜、説明を省略する。
【００４２】
筆記具１を筆記に供するに際し、使用者は、掌と親指以外の４本の指でボディ１０を握り、親指をノック１１の上端に引っ掛けて、ノック１１を押し下げる。これにより、ノック１１は、図２に示すホームポジションＰ１から下降を始め、ノック１１と一体のジョイント２０も下降を始める。この際、芯１６は、ジョイント２０によって、スライドカム１９及び回転カム１８が押し下げられるので、ノック１１の押し下げ動作開始とともに、押し下げ動作が開始される。一方、押圧部材１４は、空振り区間Ｄが無くなるまで、下降を開始しない。押圧部材１４は、ノック１１及びジョイント２０が下降を開始し、ジョイント２０が空振り区間Ｄを下降し終えると、係止部１４ｄにジョイント２０の係合部２０ｄが係合される。押圧部材１４は、この係合によりはじめて下降を開始する。係合後は、押圧部材１４は、ノック１１の押し下げ動作に対応して下降し、押圧部（子ガエル）１４ａがキャラクタ（親ガエル）１３を徐々に押し潰していく。これにより、親ガエルは、後脚１３ｅ側が台座１２の支持部１２ｂの一方の端部に固定されているので、頭部１３ｂ側がお辞儀をするように下方に揺動し（垂れ）、これに伴って前脚１３ｄを屈曲させる。この状態を示すのが、図１（ｂ）である。
【００４３】
このように、使用者がノック１１を図１（ａ）に示すホームポジションＰ１から図１（ｂ）に示す押下位置Ｐ２に押し下げることにより、キャラクタ（親ガエル）１３は、頭部１３ｂを上げて前脚１３ｄを伸ばした姿勢から、頭部１３ｂを下げてお辞儀をしながら前脚１３ｄを曲げる動作をとる。このようなキャラクタ１３の動作は、キャラクタが無機的に（機械的に）回転する従来のものとは異なり、キャラクタ１３自体が変形し、姿勢を変化させることで実現されるため、有機的であり、意外性や面白みに富んだものとなる。さらに、上述のように空振り区間Ｄが設けてあるので、ノック１１の動作とキャラクタ１３との動作とが、必ずしも一致しないため、さらに意外性を高めることができる。
【００４４】
ノック１１が押下位置Ｐ２に配置されて、芯１６が出された後に、使用者がノック１１から指を離すと、ノック１１が上昇してホームポジションＰ１に復帰するとともに、キャラクタ１３も変形や姿勢変化が解除されて元の姿勢に戻る。この際、空振り区間Ｄに基づき、さらにキャラクタ１３自身の弾性力が相俟って、ノック１１の押し下げ動作時とは逆に、キャラクタ１３の復帰動作が先行し、その後、時間遅れを伴って、ノック１１の復帰動作が完了する。
【００４５】
このように、ノック１１の動作とキャラクタ１３の変形及び復帰動作とが１対１に対応しないことは、使用者にとって一層、興趣を深める結果となる。なお、上述のように、空振り区間Ｄを０にしたり、あるいはノック１１と押圧部材１４とを直接係合させたりすれば、ノック１１の動作と押圧部材１４の押圧部１４ａとの動作を１対１に対応させることができ、したがって、ノック１１の押し下げ動作の開始に伴って、キャラクタ１３の変形、姿勢変化が開始される。
【００４６】
上述の実施形態において、押圧部材１４と、台座１２とについて、押圧部材１４の貫通部１４ｂに対して、台座１２の透孔１２ｃの内径を大きくとって、両者間に適宜な間隙を設けるとよい。押圧部材１４が下降することにより親ガエルは、後脚１３ｅ側を基準として頭部１３ｂ側がお辞儀をするように揺動するので、押圧部材１４は、まっすぐに下降するのではなく、下端側の係止部１４ｄ近傍を基準として、上端側の押圧部１４ａ側が前後方向に揺動する動作も加わる。このため、上述のように適宜な間隙を設けることで、この押圧部材１４の動作を円滑にするとともに、親ガエルの揺動動作に、より一層リアリティを持たせることができる。
【００４７】
また、上述の筆記具１においては、押圧部材１４の押圧部１４ａを、キャラクタ（親ガエル）１３の背中におんぶする子ガエルとして、キャラクタの一部を構成するようにすることで、キャラクタ全体としてのデザインの一貫性を保つとともに、面白みを増加させることができる。
【００４８】
図５を参照して、筆記具１の変形例である筆記具２について説明する。図５は、筆記具２を正面側右斜め上方から見た斜視図であり、（ａ）はノック１１がホームポジションＰ１にあってキャラクタ２３が変形していない状態を示し、（ｂ）はノック１１が押下位置Ｐ２に押し下げられてキャラクタ２３が変形された状態を示し、（ｃ）は分解斜視図を示している。なお、同図に示す筆記具２は、台座２２、キャラクタ２３、押圧部材２４以外の構成は、図１〜図４に示す筆記具１と同様であるので、同様の構成については同様の符号を付して適宜説明を省略する。
【００４９】
図５に示すように、キャラクタ２３は、人形の顔を模した略球形の形象物で構成されている。顔２３ａには、目２３ｂや口２３ｃが描かれている。台座２２は、顔２３の底部に対応した大きさの支持部２２ｂと、ボディ１０の開口部１０ｄに嵌合する円筒状の嵌合部２２ａと、支持部２２ｂのほぼ中央を上下に貫通する透孔２２ｃを有している。また、押圧部２４は、上端部に、鍔付きの帽子を模した押圧部２４ａを有している。なお、押圧部２４ａ以外の、貫通部２４ｂ、小径部２４ｃ、係止部２４ｄは、図１に示す貫通部１４ｂ、小径部１４ｃ、係止部１４ｄと同様である。
【００５０】
図５に示す筆記具２は、ノック１１の押し下げ動作に対応して、押圧部材２４の押圧部（帽子）２４ａが下降して、キャラクタ（顔）２３を押し潰す。このとき、顔２３ａが上下に押し潰されるのに伴い、目２３ｂ及び口２３ｃも上下に潰れて左右方向に広がり、きわめて興趣のある顔２３ａを創り出す。
【００５１】
一方、ノック１１の復帰動作に伴って、キャラクタ２３も元の顔２３ａに復帰する。本例では、キャラクタ２３の変形に伴って、顔２３ａの表情が面白く変化する。なお、本例においても、上述と同様、空振り区間Ｄを設けて時間遅れを発生させるようにしてもよい。なお、本例においては、例えば、キャラクタ２３の顔２３ａを縦長に形成し、空振り区間Ｄを０にして、顔２３ａの変形量を多くするようにしてもよい。
【００５２】
図６を参照して、筆記具１の変形例である筆記具３について説明する。図６は、筆記具３を正面側右斜め上方から見た斜視図であり、（ａ）はノック１１がホームポジションＰ１にあってキャラクタ３３が変形していない状態を示し、（ｂ）はノック１１が押下位置Ｐ２に押し下げられてキャラクタ３３が変形された状態を示し、（ｃ）は分解斜視図を示している。なお、同図に示す筆記具３は、台座３２、キャラクタ３３、押圧部材３４以外の構成は、図１〜図４に示す筆記具１と同様であるので、同様の符号を付して適宜説明を省略する。
【００５３】
図６に示すように、キャラクタ３３は、脚を省略した人形を模した形象物で構成されている。胴体３３ａは柱状に形成されていて、胴体３３ａからは２本の腕３３ｂが延びており、腕３３ｂの先端は、台座３２の支持部３２ｂに固定されている。また、押圧部３４は、上端部に、顔を模した球形の押圧部３４ａを有している。なお、押圧部３４ａ以外の、貫通部３４ｂ、小径部３４ｃ、係止部３４ｄは、図１に示す貫通部１４ｂ、小径部１４ｃ、係止部１４ｄと同様である。
【００５４】
図６に示す筆記具３は、ノック１１の押し下げ動作に対応して、押圧部材３４の押圧部（顔）３４ａが下降して、キャラクタ３３の胴体３３ａを押し潰す。このとき、胴体３４ａは、上下に押し潰されるのに伴い、前後左右方向に広がって、太ったようになる。
【００５５】
一方、ノック１１の復帰動作に伴って、キャラクタ３３も元のスリムな胴体３３ａに復帰する。本例では、キャラクタ３３の変形に伴って、胴体３３ａが痩せたり太ったりと、面白く変化する。なお、本例においても、上述と同様、空振り区間Ｄを設けて時間遅れを発生させるようにしてもよい。なお、本例においては、例えば、キャラクタ３３の胴体３３ａをさらに縦長に形成し、空振り区間Ｄを０にして、胴体３３ａの痩せたときと太ったときとの胴回りの差を大きくするようにしてもよい。
【符号の説明】
【００５６】
１，２，３  筆記具
１０  ボディ（筆記具本体）
１１  ノック（操作レバー）
１２，２２，３２  台座
１３，２３，３３  キャラクタ
１４，２４，３４  押圧部材
１４ａ，２４ａ，３４ａ  押圧部
１４ｄ，２４ｄ，３４ｄ  係止部（連動機構）
２０  ジョイント（連動機構）
２０ｄ  係合部（連動機構）
１６  芯（レフィール）
２１  ノック押し上げばね（付勢部材）
Ｓ  軸芯
【図１】
2011025635.tif 000003
【図２】
2011025635.tif 000004
【図３】
2011025635.tif 000005
【図４】
2011025635.tif 000006
【図５】
2011025635.tif 000007
【図６】
2011025635.tif 000008